(57)【特許請求の範囲】
【請求項１】
被写体を撮像して画像データを生成する撮像手段と、
前記撮像手段により生成された画像データを記録媒体に順番に保存する通常撮影モードと、前記撮像手段により生成された複数の画像データを順番に保存するとともに、前記複数の画像データを合成して記録媒体に保存する多重合成撮影モードとを有する画像データ保存手段と、
前記画像データ保存手段により前記記録媒体に保存される画像データにファイル番号を付与するファイル名生成手段と、
前記多重合成撮影モードにおいて、前記画像データ保存手段で保存した画像データを削除し、削除した前記画像データを用いた多重合成を取り消しするキャンセル手段と、
を有し、
前記ファイル名生成手段が、最後に撮影した画像ファイルに付与したファイル番号を記憶しておき次の撮影時にその記憶している番号を１つ加算したファイル番号を作成する通し番号方式が設定されているときに、前記通常撮影モードから前記多重合成撮影モードに変更された場合には、前記ファイル名生成手段は、記録媒体に記録されているファイルの中で最大のファイル番号の次の番号を撮影した画像ファイルの番号とするオートリセット方式に変更され、前記多重合成撮影モードから前記通常撮影モードに戻ったときには前記通し番号方式に戻ることを特徴とする撮影制御装置。
【請求項２】
被写体を撮像して画像データを生成する撮像手段と、
前記撮像手段により生成された画像データを記録媒体に順番に保存する通常撮影モードと、前記撮像手段により生成された複数の画像データを順番に保存するとともに、前記複数の画像データを合成して記録媒体に保存する多重合成撮影モードとを有する画像データ保存手段と、
前記画像データ保存手段により前記記録媒体に保存される画像データにファイル番号を付与するファイル名生成手段と、
前記多重合成撮影モードにおいて、前記画像データ保存手段で保存した画像データを削除し、削除した前記画像データを用いた多重合成を取り消しするキャンセル手段と、
前記多重合成撮影モードにおける有効な多重合成撮影の回数を判断する撮影回数判断手段とを有し、
前記ファイル名生成手段は、前記多重合成撮影モードの１枚目の画像のファイル番号は通し番号方式でファイル番号を決定し、前記撮影回数判断手段が前記多重合成撮影モードにおける有効な多重合成撮影が２回目以降であることを判断した後は、オートリセット方式でファイル番号を決定することを特徴とする撮影制御装置。
【請求項３】
被写体を撮像して画像データを生成する撮像手段と、
前記撮像手段により生成された画像データを記録媒体に順番に保存する通常撮影モードと、前記撮像手段により生成された複数の画像データを順番に保存するとともに、前記複数の画像データを合成して記録媒体に保存する多重合成撮影モードとを有する画像データ保存手段と、
前記通常撮影モードで動作しているときには通し番号方式でファイル番号を決定するとともに、前記多重合成撮影モードに変更するとオートリセット方式でファイル番号を決定し、前記多重合成撮影モードから前記通常撮影モードに戻ったときには前記通し番号方式に戻って、前記画像データ保存手段により前記記録媒体に保存される画像データにファイル番号を付与するファイル名生成手段と、
前記多重合成撮影モードにおいて、前記画像データ保存手段で保存した画像データを削除し、削除した前記画像データを用いた多重合成を取り消しするキャンセル手段と、
前記ファイル名生成手段により付与されるカメラファイル番号を下限カメラファイル番号として記録媒体に保存するカメラファイル番号保存手段と、
前記カメラファイル番号保存手段により前記記録媒体に保存されている下限カメラファイル番号とカメラファイル番号とを比較し、カメラファイル番号が前記下限カメラファイル番号よりも小さい場合は、カメラファイル番号を下限カメラファイル番号に補正するカメラ番号補正手段とを有することを特徴とする撮影制御装置。
【請求項４】
被写体を撮像して画像データを生成する撮像工程と、
前記撮像工程において生成された画像データを記録媒体に順番に保存する通常撮影モードと、前記撮像工程において生成された複数の画像データを順番に保存するとともに、前記複数の画像データを合成して記録媒体に保存する多重合成撮影モードとを有する画像データ保存工程と、
前記画像データ保存工程において前記記録媒体に保存される画像データにファイル番号を付与するファイル名生成工程と、
前記多重合成撮影モードにおいて、前記画像データ保存工程で保存した画像データを削除し、削除した前記画像データを用いた多重合成を取り消しするキャンセル工程と、
を有し、
前記ファイル名生成工程が、最後に撮影した画像ファイルに付与したファイル番号を記憶しておき次の撮影時にその記憶している番号を１つ加算したファイル番号を作成する通し番号方式が設定されているときに、前記通常撮影モードから前記多重合成撮影モードに変更された場合には、前記ファイル名生成工程は、記録媒体に記録されているファイルの中で最大のファイル番号の次の番号を撮影した画像ファイルの番号とするオートリセット方式に変更され、前記多重合成撮影モードから前記通常撮影モードに戻ったときには前記通し番号方式に戻ることを特徴とする撮影制御方法。
【請求項５】
被写体を撮像して画像データを生成する撮像工程と、
前記撮像工程において生成された画像データを記録媒体に順番に保存する通常撮影モードと、前記撮像工程において生成された複数の画像データを順番に保存するとともに、前記複数の画像データを合成して記録媒体に保存する多重合成撮影モードとを有する画像データ保存工程と、
前記画像データ保存工程において前記記録媒体に保存される画像データにファイル番号を付与するファイル名生成工程と、
前記多重合成撮影モードにおいて、前記画像データ保存工程で保存した画像データを削除し、削除した前記画像データを用いた多重合成を取り消しするキャンセル工程と、
前記多重合成撮影モードにおける有効な多重合成撮影の回数を判断する撮影回数判断工程とを有し、
前記ファイル名生成工程においては、前記多重合成撮影モードの１枚目の画像のファイル番号は通し番号方式でファイル番号を決定し、前記撮影回数判断工程が前記多重合成撮影モードにおける有効な多重合成撮影が２回目以降であることを判断した後は、オートリセット方式でファイル番号を決定することを特徴とする撮影制御方法。
【請求項６】
被写体を撮像して画像データを生成する撮像工程と、
前記撮像工程において生成された画像データを記録媒体に順番に保存する通常撮影モードと、前記撮像工程において生成された複数の画像データを順番に保存するとともに、前記複数の画像データを合成して記録媒体に保存する多重合成撮影モードとを有する画像データ保存工程と、
前記通常撮影モードで動作しているときには通し番号方式でファイル番号を決定するとともに、前記多重合成撮影モードに変更するとオートリセット方式でファイル番号を決定し、前記多重合成撮影モードから前記通常撮影モードに戻ったときには前記通し番号方式に戻って、前記画像データ保存工程において前記記録媒体に保存される画像データにファイル番号を付与するファイル名生成工程と、
前記多重合成撮影モードにおいて、前記画像データ保存工程で保存した画像データを削除し、削除した前記画像データを用いた多重合成を取り消しするキャンセル工程と、
前記ファイル名生成工程において付与されるカメラファイル番号を下限カメラファイル番号として記録媒体に保存するカメラファイル番号保存工程と、
前記カメラファイル番号保存工程において前記記録媒体に保存されている下限カメラファイル番号とカメラファイル番号とを比較し、カメラファイル番号が前記下限カメラファイル番号よりも小さい場合は、カメラファイル番号を下限カメラファイル番号に補正するカメラ番号補正工程とを有することを特徴とする撮影制御方法。
【請求項７】
被写体を撮像して画像データを生成する撮像工程と、
前記撮像工程において生成された画像データを記録媒体に順番に保存する通常撮影モードと、前記撮像工程において生成された複数の画像データを順番に保存するとともに、前記複数の画像データを合成して記録媒体に保存する多重合成撮影モードとを有する画像データ保存工程と、
前記画像データ保存工程において前記記録媒体に保存される画像データにファイル番号を付与するファイル名生成工程と、
前記多重合成撮影モードにおいて、前記画像データ保存工程で保存した画像データを削除し、削除した前記画像データを用いた多重合成を取り消しするキャンセル工程と、
をコンピュータに実行させるプログラムであって、
前記ファイル名生成工程が、最後に撮影した画像ファイルに付与したファイル番号を記憶しておき次の撮影時にその記憶している番号を１つ加算したファイル番号を作成する通し番号方式が設定されているときに、前記通常撮影モードから前記多重合成撮影モードに変更された場合には、前記ファイル名生成工程は、記録媒体に記録されているファイルの中で最大のファイル番号の次の番号を撮影した画像ファイルの番号とするオートリセット方式に変更され、前記多重合成撮影モードから前記通常撮影モードに戻ったときには前記通し番号方式に戻るようコンピュータを制御することを特徴とするプログラム。
【請求項８】
被写体を撮像して画像データを生成する撮像工程と、
前記撮像工程において生成された画像データを記録媒体に順番に保存する通常撮影モードと、前記撮像工程において生成された複数の画像データを順番に保存するとともに、前記複数の画像データを合成して記録媒体に保存する多重合成撮影モードとを有する画像データ保存工程と、
前記画像データ保存工程において前記記録媒体に保存される画像データにファイル番号を付与するファイル名生成工程と、
前記多重合成撮影モードにおいて、前記画像データ保存工程で保存した画像データを削除し、削除した前記画像データを用いた多重合成を取り消しするキャンセル工程と、
前記多重合成撮影モードにおける有効な多重合成撮影の回数を判断する撮影回数判断工程とをコンピュータに実行させるプログラムであって、
前記ファイル名生成工程においては、前記多重合成撮影モードの１枚目の画像のファイル番号は通し番号方式でファイル番号を決定し、前記撮影回数判断工程が前記多重合成撮影モードにおける有効な多重合成撮影が２回目以降であることを判断した後は、オートリセット方式でファイル番号を決定するようコンピュータを制御することを特徴とするプログラム。
【請求項９】
被写体を撮像して画像データを生成する撮像工程と、
前記撮像工程において生成された画像データを記録媒体に順番に保存する通常撮影モードと、前記撮像工程において生成された複数の画像データを順番に保存するとともに、前記複数の画像データを合成して記録媒体に保存する多重合成撮影モードとを有する画像データ保存工程と、
前記通常撮影モードで動作しているときには通し番号方式でファイル番号を決定するとともに、前記多重合成撮影モードに変更するとオートリセット方式でファイル番号を決定し、前記多重合成撮影モードから前記通常撮影モードに戻ったときには前記通し番号方式に戻って、前記画像データ保存工程において前記記録媒体に保存される画像データにファイル番号を付与するファイル名生成工程と、
前記多重合成撮影モードにおいて、前記画像データ保存工程で保存した画像データを削除し、削除した前記画像データを用いた多重合成を取り消しするキャンセル工程と、
前記ファイル名生成工程において付与されるカメラファイル番号を下限カメラファイル番号として記録媒体に保存するカメラファイル番号保存工程と、
前記カメラファイル番号保存工程において前記記録媒体に保存されている下限カメラファイル番号とカメラファイル番号とを比較し、カメラファイル番号が前記下限カメラファイル番号よりも小さい場合は、カメラファイル番号を下限カメラファイル番号に補正するカメラ番号補正工程とをコンピュータに実行させることを特徴とするプログラム。
【発明の詳細な説明】
【技術分野】
【０００１】
本発明は、撮影制御装置及び撮影制御方法に関し、特に、多重合成撮影のキャンセル機能を持った多重合成撮影機能を備えた撮影制御装置及び撮影制御方法に関するものである。
【背景技術】
【０００２】
従来、デジタルカメラ等の撮像装置には、撮影画像をファイルに記録する際にカメラで管理された番号をファイル名として利用するものがある。前記カメラの中にはファイル名に利用する番号の管理方法を切り替えることのできるものがある。
【０００３】
１つは、カメラ内に記憶している番号に応じて管理する方法（以下、通し番号方式と呼ぶ）で、撮影した画像ファイルを生成する毎に、カメラ内に記憶している番号を１つ加算する。カメラ内に記憶する番号は、通常は最後に撮影したときにファイルに付与したファイル番号であるが、最後に撮影したときにファイルに付与したファイル番号に基づく番号であれば変形は可能である。この通し番号方式では、記録先を別のフォルダへ変更したり、別の記録媒体へ変更したりしても通し番号が付与されるので、番号が重複せず、ファイル名を見るだけで撮影した前後関係がわかりやすい利点がある。
【０００４】
他の１つは、記録メディアで利用されている番号に応じて管理する方法（以下、オートリセット方式）であり、使用する記録媒体（またはフォルダ）に記録されているファイルの中で最大のファイル番号の次の番号を撮影した画像ファイルの番号とする方式である。オートリセット方式の場合は、別のフォルダや別の記録媒体など記録場所を変更した場合に、その場所で利用されている最大のファイル番号の次の番号を撮影した画像ファイルの番号となる。オートリセット方式では、その記録媒体（またはフォルダ）内での重複番号を避けるとともに、通し番号方式に比べてDCF規格で定められているファイル番号の上限値に達しにくくなる。ただし、別の記録媒体の間では、ファイル番号の重複が発生することになる。
【０００５】
一方、カメラ等の撮像装置には、多重合成撮影機能を備えているものがある。多重合成撮影では複数回撮影してできた、複数の画像データを画像合成するが、多重合成撮影中に失敗した画像をキャンセルする機能をもったカメラもある。また、多重合成撮影では多重合成した画像だけではなく、素材となった画像も記録媒体に記録する技術も開示されている。
【０００６】
例えば、特許文献１では多重露出機能を有したカメラにおいて、複数回撮影した画像データを合成した画像ファイルとその撮影毎の素材となる画像も画像ファイルとして記録媒体に記録する制御が開示されている。
【先行技術文献】
【特許文献】
【０００７】
【特許文献１】特開２００６−３５２２２９号公報
【発明の概要】
【発明が解決しようとする課題】
【０００８】
しかしながら、通し番号方式に設定され、かつ素材画像を記録する多重合成撮影において、途中の失敗画像をキャンセルした場合、ファイル番号が連番にならない問題点があった。ユーザは、多重合成撮影を行った素材画像と合成画像とが連番であると、より管理が容易である。
本発明は前述の問題点に鑑み、通し番号方式に設定され、かつ素材画像を記録する多重合成撮影において、途中の失敗画像をキャンセルした場合でも素材画像ファイルと多重合成ファイル番号が自動的に連番となるようにすることを目的とする。
【課題を解決するための手段】
【０００９】
本発明の撮影制御装置は、被写体を撮像して画像データを生成する撮像手段と、前記撮像手段により生成された画像データを記録媒体に順番に保存する通常撮影モードと、前記撮像手段により生成された複数の画像データを順番に保存するとともに、前記複数の画像データを合成して記録媒体に保存する多重合成撮影モードとを有する画像データ保存手段と、前記画像データ保存手段により前記記録媒体に保存される画像データにファイル番号を付与するファイル名生成手段と、前記多重合成撮影モードにおいて、前記画像データ保存手段で保存した画像データを削除し、削除した前記画像データを用いた多重合成を取り消しするキャンセル手段とを有し、前記ファイル名生成手段が、最後に撮影した画像ファイルに付与したファイル番号を記憶しておき次の撮影時にその記憶している番号を１つ加算したファイル番号を作成する通し番号方式が設定されているときに、前記通常撮影モードから前記多重合成撮影モードに変更された場合には、前記ファイル名生成手段は、記録媒体に記録されているファイルの中で最大のファイル番号の次の番号を撮影した画像ファイルの番号とするオートリセット方式に変更され、前記多重合成撮影モードから前記通常撮影モードに戻ったときには前記通し番号方式に戻ることを特徴とする。
【発明の効果】
【００１０】
本発明によれば、通し番号方式に設定され、かつ素材画像を記録する多重合成撮影において、途中の素材画像をキャンセルした場合でも、自動的にファイル番号が連番となるようにしたので、管理を容易にすることができる。
また、本発明の他の特徴によれば、多重合成撮影において、途中の失敗画像をキャンセルした場合でも、素材画像ファイルと多重合成ファイル番号が自動的に連番となるようにすることができる。
【図面の簡単な説明】
【００１１】
【図１】本発明の構成例を説明するブロック図である。
【図２】本発明の第１の実施形態における多重合成撮影制御のフローチャートである。
【図３】フォルダ/ファイル構成例を示す図である。
【図４】起動時におけるカメラフォルダ/ファイル番号制御フローチャートである。
【図５】本発明の第２の実施形態における多重合成撮影制御のフローチャートである。
【図６】本発明の第３の実施形態における多重合成撮影制御のフローチャートである。
【図７】本発明の多重合成撮影後のプレビュー画面のイメージを示す図である。
【発明を実施するための形態】
【００１２】
（第１の実施形態）
以下に、本発明の撮影制御装置の好ましい実施の形態を、添付の図面に基づいて詳細に説明する。図１は、本発明の実施形態にかかわるデジタルカメラの概略構成を示すブロック図である。
図１において、１００は被写体を撮影するデジタルカメラ本体である。本実施形態のデジタルカメラは、生成された画像データを記録媒体に順番に保存する通常撮影モードと、撮像手段により生成された複数の画像データを合成して記録媒体に保存する多重合成撮影モードとで画像データ保存を行う。１１０は電源であり、デジタルカメラ本体１００内の各回路に電源を供給する。
【００１３】
１２０はカードスロット、メモリカード（着脱可能な記録媒体）１２１を差し込める。メモリカード１２１をカードスロット１２０に差し込んだ状態で、メモリカード１２１は、カード入出力部１１９と電気的に接続する。なお、本実施形態では記録媒体としてメモリカード１２１を採用しているが、その他の記録媒体、例えば、ハードディスク、光ディスク、光磁気ディスク、磁気ディスク、その他の固体メモリを使用してもよい。
【００１４】
１０１は光軸方向の進退により焦点調節を行うフォーカシングレンズである。１０３は撮像素子への光量を調節する絞りである。フォーカシングレンズ１０１、および絞り１０３は、撮像光学系を構成し、ＣＰＵ１０９により制御される。
【００１５】
撮像素子１０４は、ＣＣＤ撮像素子又はＣＭＯＳ撮像素子等で構成される光電変換機能を有する素子である。撮像素子１０４は、フォーカシングレンズ１０１〜１０３からなる撮像光学系で形成された被写体像を光電変換し、画像信号を出力する。前処理回路１０５は、ＣＤＳ（相関二重サンプリング）回路およびＡＧＣ（オートゲインコントロール）回路等を含み、撮像素子１０４の出力画像信号のノイズを除去し、ゲインを制御する。撮像素子１０４は電子シャッター機能を持っており露光時間を調整することができる。また、電子シャッター機能の代わりに機械式のシャッターを持ち露光時間を調整する構成でもよい。
【００１６】
Ａ／Ｄコンバータ１０６は、前処理回路１０５から出力されるアナログ画像信号をデジタル画像信号に変換する。像信号処理装置１０７は、デジタル画像信号にシェーディング補正等のカメラで周知の画像信号処理を施す。像信号処理装置１０７は、いわば、撮像素子１０４の特性に起因する画像濃度の非線形性、および光源に起因する画像色の偏りを補正する。フレームメモリ１０８は、撮像素子１０４〜像信号処理装置１０７により生成される画像信号を一時記憶するバッファメモリとして機能する。
【００１７】
フレームメモリ１０８に格納されている画像データは、補正処理等が施されているが、撮像素子１０４の各画素に蓄積された電荷エネルギーをそのままデジタルデータ化したものと考えることができる。以後、フレームメモリ１０８に格納された画像データをＲＡＷデータと呼ぶ。ＲＡＷデータの画像の画質に関するパラメータを撮像パラメータと呼ぶ。ここで、撮像パラメータとは、絞り１０３の設定値であるＡｖ、Ｔｖ、ＩＳＯを含む。
【００１８】
撮像素子１０４〜フレームメモリ１０８からなる部分は、撮像光学系で形成された被写体の光学像をデジタル画像信号又は画像データに変換する光電変換系である。
【００１９】
全体を制御するＣＰＵ１０９には、電源１１０、不揮発性メモリ１１１、現像処理部１１２、ＲＡＭメモリ１１３、表示制御装置１１４、メインスイッチ１１６、第１レリーズスイッチ１１７、第２レリーズスイッチ１１８、操作ボタン１４０〜１４２を有する。また、現像パラメータ変更ボタン１４３、Ａｖ変更ダイヤル１４４、Ｔｖ変更ダイヤル１４５、ＩＳＯ変更ダイヤル１４６、カード入出力部１１９が接続される。ＣＰＵ１０９は、撮像素子１０４の画像信号読み出しを制御するクロック信号を送出し、撮像素子１０４〜フレームメモリ１０８の動作タイミングを制御する。
【００２０】
不揮発性メモリ１１１は、ＥＥＰＲＯＭ等で構成されており、電源１１０がオフにされても、記録されたデータを失わない。不揮発性メモリ１１１には、電源１１０がオンされた時にカメラに設定する初期カメラ設定値が記録されている。
【００２１】
現像処理部１１２は、ＣＰＵ１０９が読み出したフレームメモリ１０８上のＲＡＷデータを現像パラメータ設定に基づいて画像処理を行う。画像処理を施されたそれぞれの画像データは、ＲＡＭメモリ１１３に格納される。現像パラメータとは、デジタル画像データの画質に関するパラメータのことで、デジタル画像データのホワイトバランス、色補間、色補正、γ変換、エッジ強調、解像度、記録方式、圧縮率に関するパラメータはすべて現像パラメータに相当する。
【００２２】
記録方式については、ＪＰＥＧ（Ｊｏｉｎｔ Ｐｈｏｔｏｇｒａｐｉｃ Ｅｘｐｅｒｔｓ Ｇｒｏｕｐ）形式とＲＡＷ形式を選択することができる。ＪＰＥＧ形式はＲＡＷデータに対して適応離散コサイン変換（ＡＤＣＴ）による不可逆圧縮処理を行い、ファイルサイズ容量を小さくする。圧縮率を大きくするとファイルサイズ容量を小さくできるが、画質が劣化する。
【００２３】
一方、ＲＡＷ形式はＲＡＷデータに対してロスレス圧縮（可逆圧縮）を行い、ファイルサイズ容量を小さくする。ＲＡＷ形式は可逆圧縮であるので、画像情報を欠落することなくファイルサイズ容量を小さくできるが、ＪＰＥＧ形式ほど小さいサイズにはできない。また、現像処理部は、ＲＡＷデータを任意の調整処理（再現像）を行って表示用の画像フォーマットに変更することもできる。そのためＲＡＷ形式では、撮影時の現像パラメータを付加しておき、再現像時のパラメータとして利用することもできる。以後1つ以上の現像パラメータを用いてデジタル画像データの画質を調整（変更）する処理のことを現像処理と呼ぶ。
【００２４】
ＲＡＭメモリ１１３は、現像処理結果の画像データの他、ＣＰＵ１０９が各種処理を行う際にデータを一時的に記憶する。表示制御装置１１４は、液晶表示素子からなるＴＦＴ１１５の駆動および制御をする。ＲＡＭメモリ１１３に表示用の画像フォーマットで配置された画像データをそれぞれの表示装置へ出力する。
【００２５】
ユーザがメインスイッチ１１６をオンにすると、ＣＰＵ１０９は所定のプログラムを実行する。メインスイッチ１１６をオフにすると所定のプログラムを実行し、カメラをスタンバイモードにする。第１レリーズスイッチ１１７は、レリーズボタンの第１ストローク（半押し状態）でオンになり、第２レリーズスイッチ１１８は、レリーズボタンの第２ストローク（全押し状態）でオンとなる。
【００２６】
ＣＰＵ１０９はまた、左選択ボタン１４０、右選択ボタン１４１、設定ボタン１４２の押下とデジタルカメラの動作状態に応じて制御を行う。例えば、デジタルカメラの動作状態が再生状態であれば左選択ボタン１４０で前の画像データを表示し、右選択ボタン１４１で次の画像データを表示する。
【００２７】
現像パラメータは、メニュー操作によりグラフィカルユーザインタフェースで確認と設定を行うことができる。また、多重合成撮影機能のＯＮ／ＯＦＦも、メニュー操作によりグラフィカルユーザインタフェースで確認と設定を行うことができる。
【００２８】
カード入出力部１１９は、カードスロット１２０へ挿入されたメモリカード１２１にコマンドを送信でき、メモリカード１２１との間で種々のデータを送受信できる。また、カード入出力部１１９は、メモリカードの挿抜を検知することができ、メモリカードの抜き差しの履歴（以下、挿抜履歴）を不揮発性メモリ１１１に保存する。メモリカード１２１は、圧縮画像信号を記録又は保存する機能を具備し、フラッシュメモリ等の半導体メモリ、磁気ディスク又は光ディスク等からなる。
【００２９】
ＣＰＵ１０９は、ＲＡＭメモリ１１３上の画像処理が施された画像データを、ＪＥＩＤＡのＤＣＦ規格及びＥｘｉｆ規格のファイルフォーマットに従って、カード入出力部１１９を制御しカードスロット１２０へ挿入されたメモリカード１２１に記録する。ＤＣＦ規格は、（Ｄｅｓｉｇｎ ｒｕｌｅ ｆｏｒ Ｃａｍｅｒａ Ｆｉｌｅ ｓｙｓｔｅｍ）である。また、Ｅｘｉｆ規格は、（Ｅｘｃｈａｎｇｅａｂｌｅ Ｉｍａｇｅ Ｆｉｌｅ Ｆｏｒｍａｔ）である。
【００３０】
Ｅｘｉｆ規格のファイルは、デジタルカメラで画像撮影時のカメラ情報をタグ形式で画像データと同一ファイルに記録することができる。Ｅｘｉｆのカメラ情報には、撮影時の明るさに関するカメラ情報として例えば、絞り値（ＡＶ）タグ、シャッタースピード（ＴＶ）タグ、輝度値（ＢｒｉｇｈｔｎｅｓｓＶａｌｕｅ、以下Ｂｖ）タグ、がある。また、絞り値（Ａｖ）、シャッタースピード（Ｔｖ）、輝度値（Ｂｖ）をＡＰＥＸ（Ａｄｄｉｔｉｖｅ  Ｓｙｓｔｅｍ  ｏｆ  Ｐｈｏｔｏｇｒａｐｈｉｃ  Ｅｘｐｏｓｕｒｅ）単位の値で記載している。他にも、メーカーノート（ＭａｋｅｒｅＮｏｔｅ）タグがあり、各デジタルカメラメーカーが独自の画像情報を追加することができる。
【００３１】
ＣＰＵ１０９は、ＲＡＭメモリ１１３上の画像ファイルをＤＣＦ規格に準じた記録先のファイルパスとファイル名を決定し、カード入出力部１１９を制御しカードスロット１２０へ挿入されたメモリカード１２１に記録する。ＤＣＦ規格では、ルートに「DCIM」フォルダがある。「DCIM」フォルダ以下には、「３桁の数字（以下、フォルダ番号）＋５つの文字」で名前付けされるフォルダがあり、100〜999までの900フォルダで構成することができる。
【００３２】
図３では、「100XXXXX」、「102XXXXX」、「345XXXXX」、「346XXXXX」、「451XXXXX」の５つのフォルダで構成されている。「フォルダ番号＋５つの文字」のフォルダ以下に「４つの文字＋４桁の数字（以下、ファイル番号）.拡張子」で名前付けされる画像ファイルがあり、0001〜9999までの9999ファイルで構成することができる。
【００３３】
ファイル番号設定の設定値（通し番号方式／オートリセット方式）は、不揮発性メモリ１１１にカメラ設定値として記録されている。また、最後に画像を順番に保存したフォルダ番号（以下、カメラフォルダ番号）とファイル番号（以下、カメラファイル番号）も不揮発性メモリ１１１にカメラ設定値として記録されている。ファイル名は、撮影毎にファイル番号を１ずつインクリメントして決定する。例えば、ファイル名用の４つの文字を「IMG＿」としカメラファイル番号が0010の場合にＪＰＥＧ撮影するとカメラファイル番号は0011となり、ファイル名は「IMG＿0011.JPG」となる。
【００３４】
なお、通し番号方式の場合には、カメラ内の不揮発性メモリ１１１に保存しているカメラファイル番号よりも大きな番号を有する記録媒体に交換する場合もある。このような場合、起動時にカメラはその記録媒体に記録されている最大のファイル番号で、不揮発性メモリ１１１に保存されているカメラファイル番号を更新する。そのため、交換前に保存していたカメラファイル番号を１つ加算（インクリメント）してファイル番号を作成し、交換後の記録媒体に記録されている画像のファイル番号に重複してしまうことを防止している。
【００３５】
以下、図４を参照して、カメラの起動時のカメラフォルダ番号とカメラファイル番号の決定動作を示すフローチャートについて説明する。
図４のＳ４００において処理を開始すると、次に、Ｓ４０１において、挿抜履歴から記録媒体の抜き差しの有無を判断する。記録媒体が抜き差しされていればＳ４０２へ進み、抜き差しされていなければＳ４０７へ進み処理を終了する。
【００３６】
Ｓ４０２においては、カメラフォルダ番号を記録媒体に存在するＤＣＦ規格上の最大フォルダ番号に設定し、Ｓ４０３へ進む。Ｓ４０３においては、カメラフォルダ番号に対応するフォルダに存在するＤＣＦ規格上の最大ファイル番号をＲＡＭメモリ１１３へ記憶し、Ｓ４０４へ進む。Ｓ４０４では、ファイル番号設定がオートリセットであれば、Ｓ４０６へ進み、通し番号方式であればＳ４０５へ進む。
【００３７】
Ｓ４０５では、最大ファイル番号がカメラファイル番号よりも大きい場合は、Ｓ４０６へ進み、大きくない場合はＳ４０７へ進み処理を終了する。Ｓ４０６において、不揮発性メモリ１１１に記憶しているカメラファイル番号を、ＲＡＭメモリ１１３へ記憶している最大ファイル番号で更新して、Ｓ４０７へ進み処理を終了する。
【００３８】
以上の動作により、例えば、フォーマットしなおした記録媒体に交換した場合に、ファイル番号設定が通し番号方式の場合は、カメラファイル番号が引き継がれる。また、ファイル番号設定がオートリセットの場合は、カメラファイル番号が００００となり、リセットされる。また、Ｓ４０３からＳ４０６までの処理（以下、カメラファイル番号更新動作）は、起動時以外でもカメラファイル番号の更新を行う。例えば、フォルダが変更された時やファイル削除時など、カメラフォルダ番号に対応するフォルダ内の最大ファイル番号の変化がある場合には動作して、カメラファイル番号の更新を行う。
【００３９】
ＣＰＵ１０９は、第２レリーズスイッチ１１８がオンになると、その時の撮像パラメータで撮影を開始する。そして、フレームメモリ１０８上のＲＡＷデータを保存用の現像パラメータを用いて現像処理部１１２で現像を行い、ＲＡＭメモリ１１３へ配置し、Ｅｘｉｆ規格のファイルを生成してからカード入出力部１１９を経てメモリカード１２１へ保存する。
【００４０】
以下、図２を参照して、本発明の第１の実施形態による、多重合成撮影動作を示すフローチャートについて説明する。ここで、ファイル番号設定を通し番号方式、カメラフォルダ番号に対応するフォルダの最大ファイル番号を0001、カメラファイル番号を0010として以下の説明を進める。
【００４１】
Ｓ２００において多重撮影処理を開始すると、次にＳ２０１において、ファイル番号設定（通し番号方式）をＲＡＭメモリ１１３へ記憶させ、Ｓ２０２へ進む。Ｓ２０２においては、ファイル番号設定をオートリセットに設定し、Ｓ２０３へ進む。
【００４２】
Ｓ２０３においては、第２レリーズスイッチ１１８がオンか否かを判断する。オンの場合は、Ｓ２０４へ進み、オフの場合はＳ２０７へ進む。Ｓ２０４においては、有効な多重合成撮影の１回目であれば、素材画像データ（後述）をＲＡＭメモリ１１３へコピーする。以後、コピー先の画像データ領域に多重合成した画像を構成していくため、多重合成画像データと呼ぶ。
【００４３】
また、有効な多重合成撮影が２回目以降であれば、Ｓ２０４でＲＡＭメモリ１１３の多重合成画像データと、撮影のたびに得られる素材画像データで画像合成処理を行う。そして、多重合成画像データを更新し、多重合成画像データを再びＲＡＭメモリ１１３に記録する。ここで、有効な多重合成撮影の回数とは、多重合成撮影開始後の撮影回数からキャンセル回数を減算した回数である。
【００４４】
Ｓ２０５において、Ｓ２０４で合成処理された多重合成画像を表示制御装置１１４にプレビュー表示する。有効な多重合成撮影が１回しか行われていないときには、１回目の素材画像データと等価な多重合成画像データを表示制御装置１１４でプレビュー表示する。また、有効な多重合成撮影が２回以上行われていれば、多重合成データと有効な直近の素材データを用いて、Ｓ２０４で生成された多重合成画像を表示制御装置１１４でプレビュー表示する。
【００４５】
Ｓ２０６において、多重合成処理の素材となる、合成処理前のそれぞれの画像も通常撮影の撮影と同様にファイル（以下、素材画像ファイル）を生成し、記録媒体に記録する。その後、Ｓ２０３に進む。なお、ＲＡＭメモリ１１３に記憶されている素材画像ファイルの画像データ（以下、素材画像データ）は後工程の多重合成処理時に利用するため保持しておく。本実施形態では、多重合成撮影の最初に生成される素材画像ファイルのファイル番号は0011となる。
【００４６】
一方、Ｓ２０３において、第２レリーズスイッチ１１８がオンでないと判定した場合には、Ｓ２０７において、多重合成撮影終了の指示を意味するボタン表示とキャンセルの指示を意味するボタン表示画像７１５を表示する（図７（ａ））。次に、Ｓ２０８に進み、多重撮影を終了か否かを判断する。ただし、Ｓ２０７の段階で、有効な多重合成撮影が１回も行われていなければ図７（ａ）の表示を行うことなく、Ｓ２１３へ進む。
【００４７】
ユーザがプレビュー表示を確認後、多重合成撮影を終了させようと判断した場合は、Ｓ２０７において、図７（ａ）のグラフィカルユーザインタフェースを用いて、多重合成撮影終了指示する。Ｓ２０８では、この多重合成撮影終了指示を受けステップＳ２０９へ進む。
【００４８】
Ｓ２０９においては、有効な多重合成撮影を１回しかしていなかった場合は、新たに多重合成画像を生成せずにＳ２１１へ進む。また、有効な多重合成撮影を２回以上行った場合は、Ｓ２１０に進み、多重合成画像データと素材画像データで画像合成処理を行い、多重合成画像データを更新する。その後、多重合成画像データに基づいたファイル（以降、多重合成画像ファイルと呼ぶ）を生成し記録媒体へ記録してからＳ２１１へ進む。Ｓ２１０で記録する多重合成画像ファイルのファイル番号は、不揮発性メモリ１１１に記憶しているカメラファイル番号に基づいて、素材画像データに付与したファイル番号に続く番号が付与される付与するファイル名生成処理が行われる。ファイル名生成処理においては、通常撮影モードで動作している時には通し番号方式でファイル番号を決定する。また、多重合成撮影モードに変更時にはオートリセット方式でファイル番号を決定する。さらに、多重合成撮影モードから通常撮影モードに戻った時には通し番号方式に戻ってファイル番号を決定する。
【００４９】
Ｓ２１１においては、Ｓ２０１で記憶しておいたファイル番号設定（ここでは、通し番号方式）をファイル番号設定として設定し、Ｓ２１２へ進み多重合成撮影を終了する。
【００５０】
一方、Ｓ２０８で多重合成撮影終了指示を受けない場合はＳ２１３に進んでグラフィカルユーザインタフェースでキャンセル指示を受け付けたかを判定する。図７（ａ）の表示でユーザがプレビュー表示内容を失敗と判断して、キャンセル処理を行うと、Ｓ２１３において、グラフィカルユーザインタフェースでキャンセル指示を受けてＳ２１４へ進む。また、キャンセル指示を受けない場合は、Ｓ２０３へ進む。
【００５１】
Ｓ２１４においては、直近の素材画像データをＲＡＭメモリ１１３から削除し、かつ、素材画像ファイルを記録媒体から削除してＳ２０３へ進む。ここで、仮に１回目の撮影はキャンセルせずに２回目の撮影後にキャンセルした場合、ファイル番号００１２の素材画像ファイルを削除することになる。
【００５２】
さらに、素材画像ファイルを削除することにより、カメラファイル番号の更新動作が行われる。ここでは、ファイル番号設定がオートリセット方式にしてあるため、カメラファイル番号が最大ファイル番号の0011となる。したがって、再度撮影を行うと、0012のファイル番号の素材画像ファイルを記録するので、キャンセルをしてもファイル番号に抜けができない。
【００５３】
また、Ｓ２１４においてキャンセル処理を行った場合は、図７（ｂ）のように、グラフィカルユーザインタフェースでキャンセルの指示を意味するボタンは表示しないで、多重終了を意味するボタン表示画像７１６を表示する。そのため、Ｓ２１３の判断においては必ずＳ２０３へ進む。また、キャンセル指示のボタンを表示しない時のプレビューの内容は、キャンセルされた画像を撮影する前に用いていた多重合成画像データが利用される。
【００５４】
以上説明したように、第１の実施形態では、仮に４回撮影して、１回目と３回目の撮影をキャンセルした場合、素材画像ファイルとしてファイル番号0011と0012のファイルが記録される。かつ、多重合成画像ファイルとしてファイル番号0013のファイルが記録される。
【００５５】
従来では、素材画像ファイルとしてファイル番号0012と0014のファイルが記録されかつ、多重合成画像ファイルとしてファイル番号0015のファイルが記録されてしまい、番号に抜けが生じていた。第１の実施形態の結果によりユーザは多重合成撮影の素材画像ファイルと多重合成画像ファイルが連番になり管理が容易となる。
【００５６】
（第２の実施形態）
前述した第１の実施形態では、ファイル番号設定を通し番号方式、カメラフォルダ番号の最大ファイル番号を0001、カメラファイル番号を0010とした。この場合には、多重合成撮影開始をすると１回目の撮影に対応する素材画像ファイルのファイル番号が0002となってしまう。ユーザは、ファイル番号設定として通し番号方式を設定しているので、このような場合のファイル番号の変化をユーザは想定していないため混乱を招く。本発明の第２の実施形態ではこの課題を解決するために、以下のように処理している。すなわち、多重合成撮影モードの１枚目の画像のファイル番号は通し番号方式でファイル番号を決定する。そして、撮影回数判断を行い、多重合成撮影モードにおける有効な多重合成撮影が２回目であることを判断した後は、オートリセット方式でファイル番号を決定するようにしている。
【００５７】
以下、図５を参照して、本発明の第２の実施形態による、多重合成撮影動作を示すフローチャートについて説明する。ここで、ファイル番号設定を通し番号方式、カメラフォルダ番号に対応するフォルダの最大ファイル番号を0001、カメラファイル番号を0010として以下の説明を進める。
【００５８】
図５のＳ５００において処理を開始すると、次にＳ５０１において、第２レリーズスイッチ１１８がオンか否かを判断する。オンの場合は、Ｓ５０２へ進み、オフの場合はＳ５０８へ進む。Ｓ５０２においては、有効な多重合成撮影の２回目か否かを判断する。２回目であればＳ５０３へ進み、２回目でなければＳ５０５へ進む。Ｓ５０３においては、ファイル番号設定（通し番号方式）をＲＡＭメモリ１１３へ保存し、Ｓ５０４へ進む。Ｓ５０４においては、ファイル番号設定をオートリセットに設定し、Ｓ５０５へ進む。
【００５９】
Ｓ５０５においては多重合成処理を行い、多重合成画像データを更新する。本実施形態においては、有効な多重合成撮影の１回目であれば、素材画像データをＲＡＭメモリ１１３へコピーする。また、有効な多重合成撮影が２回目以降であれば多重合成画像データと素材画像データで画像合成処理を行い、多重合成画像データを更新する。ここで、有効な多重合成撮影の回数とは、多重合成撮影開始後の撮影回数からキャンセル回数を減算した回数である。
【００６０】
Ｓ５０６において、Ｓ５０５で合成処理を行うと、多重合成画像を表示制御装置１１４にプレビュー表示する。有効な多重合成撮影が１回しか行われていなければ、１回目の素材画像データと等価な多重合成画像データを表示制御装置１１４にプレビュー表示する。また、有効な多重合成撮影が２回以上行われていれば、多重合成データと有効な直近の素材データを合成した多重合成画像を表示制御装置１１４にプレビュー表示する。
その後、Ｓ５０７に進む。
【００６１】
Ｓ５０７においては、多重合成処理の素材となる合成処理前のそれぞれの画像も通常撮影の撮影と同様に素材画像ファイルを生成し、記録媒体に記録する。その後、５０１に進む。なお、ＲＡＭメモリ１１３にある素材画像データは後工程の多重合成処理時に利用するために保持しておく。本実施形態では、多重合成撮影の最初に生成される素材画像ファイルのファイル番号は0011となる。
【００６２】
Ｓ５０１において、第２レリーズスイッチ１１８がオフの場合はＳ５０８へ進む。Ｓ５０８においては、多重合成撮影終了の指示を意味するボタン表示とキャンセル指示を意味するボタン表示画像７１５を表示する（図７（ａ））。ユーザがプレビュー表示を確認後、多重合成撮影を終了させようと判断した場合は、Ｓ５０９において、図７（ａ）のグラフィカルユーザインタフェースを用いて、多重合成撮影終了を指示する。Ｓ５０９では、この多重合成撮影終了の指示を受けＳ５１０に進む。
【００６３】
Ｓ５１０においては、有効な多重合成撮影が１回しか行われていなかった否かを判断する。１回しか行われていなかった場合には新たに多重合成画像を生成せずにＳ５１２に進む。また、有効な多重合成画像を２回以上行った場合には、Ｓ５１１に進み、多重合成画像データと素材データで画像合成処理を行い、多重合成画像を更新した後、多重合成画像ファイルを生成して記録媒体へ記録し、その後、Ｓ５１２に進む。
【００６４】
Ｓ５１２において、Ｓ５０３で記憶しておいたファイル番号設定（ここでは、通し番号方式）をファイル番号として設定し、Ｓ５１３に進み、多重合成処理を終了する。また、Ｓ５１２において、Ｓ５０３を経由しなかった場合は、ファイル番号設定は通し番号方式のまま、Ｓ５１３に進み、多重合成処理を終了する。
【００６５】
一方、Ｓ５０９において、多重合成撮影終了指示を受けない場合はＳ５１４において、グラフィカルユーザインタフェースでキャンセル指示受け付けたかを判断する。図７（ａ）の表示でユーザがプレビュー表示内容を失敗と判断して、キャンセル処理を行うと、Ｓ５１４において、グラフィカルユーザインタフェースでキャンセル指示を受け付け、Ｓ５１５へ進む。また、キャンセル指示を受けない場合はＳ５０１へ進む。
【００６６】
Ｓ５１５において、直近の素材画像データをＲＡＭメモリ１１３から削除、かつ、素材画像ファイルを記録媒体から削除しＳ５０１へ進む。また、Ｓ５１５において、キャンセル処理を行った場合、Ｓ５０８においてグラフィカルユーザインタフェースでキャンセルの指示を意味するボタンは表示しない（図７（ｂ））。そのため、Ｓ５１４においては必ずＳ５０１へ進む。また、キャンセル指示のボタンを表示しない時のプレビューの内容は、
キャンセルされた画像を撮影する前に用いていた多重合成画像データが利用される。
【００６７】
以上説明した第２の実施形態では、以下の条件で多重合成撮影を開始した場合、１回目の撮影に対応する素材画像ファイルのファイル番号は0011となる（第１の実施形態では0002となる）。
【００６８】
前述した第２の実施形態では、多重合成撮影の素材画像ファイルと多重合成画像ファイルとが連番になる利点に加え、ユーザが想定しない動作を回避することができる。
【００６９】
（第３の実施形態）
第２の実施形態では、ファイル番号設定を通し番号方式、カメラファイル番号を0010として、多重合成撮影を開始した場合、１回目の撮影に対応する素材画像をキャンセルすると次の撮影したファイル番号が0012となってしまう。すなわち、キャンセルしたのにもかかわらず、ファイル番号が進んでしまうのは、有限であるファイル番号を消費してしまうためユーザにとって不利益となる。本発明の第３の実施形態ではこの課題を解決する。
【００７０】
以下、図６を参照して、本発明の第３の実施形態による、多重合成撮影動作を示すフローチャートについて説明する。ここで、ファイル番号設定を通し番号方式、カメラフォルダ番号に対応するフォルダの最大ファイル番号を0001、カメラファイル番号を0010とした場合で以下の説明を進める。
【００７１】
本実施形態においては、第１の実施形態の図２のフローチャートにおけるＳ２００とＳ２０１の間に処理（Ｓ６０１１）が追加されている。また、Ｓ２１４とＳ２０３の間に処理（Ｓ６１１１）が追加されているだけなので、図６においては、図２のフローチャートに付したステップ番号と同じステップ番号を付して、第１の実施形態の差分で説明する。
【００７２】
図６のＳ２００において処理が開始されると、Ｓ６０１１に移行する。Ｓ６０１１においては、カメラファイル番号を下限カメラファイル番号として記録媒体に保存するカメラファイル番号保存処理を行う。具体的には、カメラファイル番号0010をＲＡＭメモリ１１３へ記憶して保存する。その後、Ｓ２０１に移行する。以後、Ｓ６０１１で記憶したカメラファイル番号を下限カメラファイル番号と呼ぶ。Ｓ２０１からＳ２１４までの処理は、第１の実施形態の対応するＳ２０１からＳ２１３までの処理と同様である。
【００７３】
Ｓ２１４においては、直近の素材画像データをＲＡＭメモリ１１３から削除し、かつ、素材画像ファイルを記録媒体から削除してＳ６１１１へ進む。ここで、削除されることにより、カメラファイル番号更新動作が行われる。さらに、１回目の撮影がキャンセルされた場合は、Ｓ２０２によりファイル番号設定がオートリセットであるため、カメラファイル番号が0001となる。
【００７４】
Ｓ２１４においてキャンセル処理を行った場合、Ｓ２０７においてグラフィカルユーザインタフェースでキャンセルの指示を意味するボタンは表示しない。そのため、Ｓ２１３においては必ずＳ２０３へ進む。
【００７５】
Ｓ６１１１においては、Ｓ６０１１でＲＡＭメモリ１１３へ保存されている下限カメラファイル番号とカメラファイル番号とを比較する。そして、カメラファイル番号が下限カメラファイル番号よりも小さい場合は、カメラファイル番号を下限カメラファイル番号に補正するカメラ番号補正処理を行う。ここで、カメラファイル番号が0001から0010へ補正される。Ｓ６１１１の次はＳ２０３の処理を行う。
【００７６】
以上、第３の実施形態では、以下の条件で多重合成撮影を開始した場合において、１回目の撮影をキャンセルした後に、さらに撮影を行った場合の素材画像ファイルのファイル番号は0011となる（第２の実施形態では0012となる)。これにより、無駄なファイル番号の消費を防ぐことができる。
【００７７】
以上、本発明の好ましい実施形態について説明したが、本発明はこれらの実施形態に限定されず、その要旨の範囲内で種々の変形及び変更が可能である。
【００７８】
（その他の実施形態）
また、本発明は、以下の処理を実行することによっても実現される。即ち、上述した実施形態の機能を実現するソフトウェア（コンピュータプログラム）を、ネットワーク又は各種のコンピュータ読み取り可能な記憶媒体を介してシステム或いは装置に供給する。そして、そのシステム或いは装置のコンピュータ（またはＣＰＵやＭＰＵ等）がプログラムを読み出して実行する処理である。
【符号の説明】
【００７９】
１００  デジタルカメラ本体、１０１  フォーカシングレンズ、１０２  ズーミングレンズ、１０３  絞り、１０４  撮像素子、１０５  前処理回路、１０６  Ａ／Ｄコンバータ、１０７  像信号処理装置、１０８  フレームメモリ、１０９  ＣＰＵ、１１０  電源、１１１  不揮発性メモリ、１１２  現像処理部、１１３  ＲＡＭメモリ、１１４  表示制御装置、１１５  ＴＦＴ、１１６  メインスイッチ、１１７  第１レリーズスイッチ、１１８  第２レリーズスイッチ、１１９  カード入出力部、１２０  カードスロット、１２１  メモリカード、１４０  左選択ボタン、１４１  右選択ボタン、１４２  設定ボタン、１４３  現像パラメータ変更ボタン、１４４  Ａｖ変更ダイヤル、１４５  Ｔｖ変更ダイヤル、１４６  ＩＳＯ変更ダイヤル
【図１】
0005794657.tif 000002
【図２】
0005794657.tif 000003
【図３】
0005794657.tif 000004
【図４】
0005794657.tif 000005
【図５】
0005794657.tif 000006
【図６】
0005794657.tif 000007
【図７】
0005794657.tif 000008